(57)【要約】【課題】  電動ドリルによる穴あけ時に発生する切り粉を周囲に飛散させることなく回収可能な集塵機能付き電動ドリル装置を提案すること。【解決手段】  集塵機能付き電動ドリル装置１は、電動ドリル本体２に固定バンド８によって集塵パイプ４が取り付けられ、当該パイプ４の先端には集塵蓋５が取り付けられている。集塵パイプ４は伸縮可能であるので、ドリル２１が穴あけ対象の部材表面１１に押し込まれるのに伴って縮むので、常に集塵蓋５が部材表面１１に密着状態に保持される。よって、穴あけ位置を取り囲んでいる集塵蓋５によって切り粉が周囲に飛散することが防止され、吸引穴に向けて常に十分な吸引力で吸引されて、集塵袋６に回収される。【選択図】  図１
2005305577.tif 000002
【特許請求の範囲】
【請求項１】
携帯型の電動ドリル本体と、
集塵機と、
前記電動ドリル本体に取り付けた集塵パイプと、
前記集塵パイプの先端に取り付けた集塵蓋とを有し、
前記集塵パイプの後端は、集塵袋を介して、前記集塵機の吸引口に接続されており、
前記集塵蓋は、蓋板と、この蓋板の外周縁に形成した縁部フランジとを備え、
前記蓋板には、前記集塵パイプに連通している連通穴と、ドリルを通すためのドリル通過穴とが形成されており、
前記集塵パイプは前記ドリルの軸線方向に伸縮可能であり、常に伸長方向にばね力により付勢されている集塵機能付き電動ドリル装置。
【請求項２】
請求項１において、
前記集塵機には、当該集塵機を携帯するための肩掛け用バンドが取り付けられていることを特徴とする集塵機能付き電動ドリル装置。
【発明の詳細な説明】
【技術分野】
【０００１】
本発明は、木材、金属部材などに穴を開けるために用いる電動ドリル装置に関し、穴あけ時に発生した切り粉を回収するための集塵機能を備えた電動ドリル装置に関するものである。
【背景技術】
【０００２】
建物などの建設現場などにおいて使用される電動ドリル装置では、穴あけによって発生する切り粉が周囲に飛散するので、作業終了後に清掃作業が必要である。例えば、鉄骨下地に木製のフローリング材などを取り付ける場合には、フローリング材を鉄骨下地に固定するためのビス穴加工を行う必要がある。ビス穴加工時に発生した切り粉（鉄粉）を確実に除去しておかないと、鉄粉に赤錆が発生して、フローリング材の変色の原因になる。
【発明の開示】
【発明が解決しようとする課題】
【０００３】
しかしながら、従来においては、穴あけ作業によって発生した切り粉を効率良く吸引可能な簡易な集塵システムは何ら提案されていない。
【０００４】
本発明の課題は、発生する切り粉を吸引しながら穴あけ作業を行うことのできる携帯に便利な集塵機能付き電動ドリル装置を提案することにある。
【課題を解決するための手段】
【０００５】
上記の課題を解決するために、本発明の集塵機能付き電動ドリル装置は、
携帯型の電動ドリル本体と、
集塵機と、
前記電動ドリル本体に取り付けられた集塵パイプと、
前記集塵パイプの先端に取り付けた集塵蓋とを有し、
前記集塵パイプの後端は、集塵袋を介して、前記集塵機の吸引口に接続されており、
前記集塵蓋は、蓋板と、この蓋板の外周縁に形成した縁部フランジとを備え、
前記蓋板には、前記集塵パイプに連通している吸引穴と、ドリルを通すためのドリル通過穴とが形成されており、
前記集塵パイプは前記ドリルの軸線方向に伸縮可能であり、常に伸長方向にばね力によって付勢されていることを特徴としている。
【０００６】
この構成の集塵機能付き電動ドリル装置では、穴あけ対象の板材などの表面に、集塵蓋を押し付け、この状態でドリルにより穴あけ作業を行う。集塵蓋が取り付けられている集塵パイプは、ドリル軸線方向に伸縮可能であるので、ドリルによる穴あけの進行に伴って集塵パイプが縮み、常に集塵蓋の縁部フランジが穴あけ対象の板材などの表面に密着した状態が保持される。したがって、穴あけ部分から発生する切り粉が周囲に飛散することなく、集塵蓋に形成されている吸引穴に向けて吸引され、ここから集塵パイプを経由して、集塵袋に回収される。穴あけが終わった後にドリルを引き上げると、それに伴って、ばね力によって集塵パイプが再び伸長状態に復帰する。
【０００７】
ここで、集塵機に肩掛け用バンドを取り付けておけば、集塵機を携帯しながら、必要な箇所で穴あけ作業を行うことができる。
【発明の効果】
【０００８】
以上説明したように、本発明の集塵機能付き電動ドリル装置による穴あけ作業時には、穴あけ位置を取り囲む状態で集塵蓋が穴あけ対象の表面に密着する。したがって、発生する切り粉を周囲に飛散させることなく集塵蓋に形成した吸引穴に向けて効率良く吸引できる。また、集塵機を携帯しながら作業場所に移動することが容易である。
【発明を実施するための最良の形態】
【０００９】
以下に、図面を参照して、本発明を適用した集塵機能付き電動ドリル装置の一例を説明する。
【００１０】
図１は本例の集塵機能付き電動ドリル装置の斜視図であり、図２はドリル先端側から見た場合の部分斜視図である。集塵機能付き電動ドリル装置１は、携帯型の電動ドリル本体２と、集塵機３と、電動ドリル本体２に取り付けられた集塵パイプ４と、集塵パイプ４の先端に取り付けた集塵蓋５とを有している。集塵パイプ４の後端４ａは、集塵袋６が収納されている円筒状のケース７を介して、集塵機３の吸引口３ａに接続されている。
【００１１】
集塵パイプ４は、電動ドリル本体２の側面に固定バンド８などの固定具によって取り付けられている大径パイプ４１と、この大径パイプ４１の先端から伸縮自在の状態で同軸状態に突出している小径パイプ４２と、大径パイプ４１の後端に接続されている可撓性ホース４３とを備えている。小径パイプ４２は、内蔵のばね（図示せず）によって図に示す伸長状態に保持されている。ばね力より大きな力で小径パイプ４２を大径パイプ４１に押し込むことが可能である。
【００１２】
小径パイプ４２の先端に取り付けられている集塵蓋５は、扁平なカップ形状のものであり、円形の蓋板５１と、この蓋板５１の外周縁から直交方向に延びている円環状の縁部フランジ５２とを備えている。蓋板５１の中心から一方の側にずれた位置に、集塵パイプ４の小径パイプ先端４２ａが差し込まれている吸引穴５３が形成されている。また、中心から他方にずれた位置には、電動ドリル本体２のドリル２１を通すためのドリル通過穴５４が形成されている。集塵パイプ４はドリル２１と平行に延びており、ドリル２１の先端に対応する位置に集塵蓋５が直交状態に取り付けられている。
【００１３】
ここで、集塵機３には肩掛け用バンド９が取り付けられている。したがって、図３に示すように、集塵機３を肩に掛けて、一方の手で、電動ドリル本体２の取っ手２２を持ち、この状態で、穴あけ位置に移動して穴あけ作業を行うことができる。
【００１４】
図４ないし図６は穴あけ動作を示す説明図である。図４に示すように、穴あけ対象の部材表面１１に、例えば垂直に、ドリル２１を位置決めする。このように位置決めすると、ドリル２１と平行に延びている集塵パイプ４の先端に直交状態に取り付けられている集塵蓋５が部材表面１１に密着状態になる。すなわち、集塵蓋５の円環状の縁部フランジ５２の先端面が部材表面１１に密着し、穴あけ位置を取り囲んだ状態になる。この状態で電動ドリル本体２を駆動して、ドリル２１を回転させながら部材表面１１に押し込むことにより、穴があけられる。ドリル２１が部材表面１１に押し込まれると、それに伴って、集塵パイプ４の小径パイプ４２が大径パイプ４１に押し込まれる。
【００１５】
よって、図５に示すように、常に、集塵蓋５が部材表面１１に密着した状態に保持される。穴あけ時に発生した切り粉は、集塵蓋５に形成されている吸引穴５３に向けて吸引され、ここから集塵パイプ４に吸い上げられて、集塵袋６に捕捉される。穴あけ終了時には、図６に示すように、部材表面１１にドリル２１の大部分が押し込まれ、これに伴って小径パイプ４２も大径パイプ４１に押し込まれて、突出部分が短くなる。穴あけ終了後に、ドリル２１を部材表面１１から引き抜くと、小径パイプ４２はばね力によって大径パイプ４１から伸長して、図１あるいは図３に示す初期状態に戻る。
【００１６】
集塵袋６が一杯になった場合には、この交換が行われる。したがって、集塵袋６のケース７は、集塵袋６の交換が簡単にできる構造としておくことが望ましい。
【００１７】
このように、本例の集塵機能付き電動ドリル装置を用いれば、穴あけ作業を行いながら、発生した切り粉を同時に集塵袋６に吸引して回収することができる。また、伸縮性の集塵パイプ４の先端に取り付けた集塵蓋５は常に穴あけ対象の部材表面に密着させておくことができるので、常に十分な吸引力で切り粉を吸引することができ、切り粉が周囲に飛散することがない。
【図面の簡単な説明】
【００１８】
【図１】本発明を適用した集塵機能付き電動ドリル装置の外観斜視図である。
【図２】図１の電動ドリル装置のドリル先端側から見た場合の部分斜視図である。
【図３】図１の電動ドリル装置を携帯した状態を示す説明図である。
【図４】図１の電動ドリル装置の穴あけ動作を示す説明図である。
【図５】図１の電動ドリル装置の穴あけ動作を示す説明図である。
【図６】図１の電動ドリル装置の穴あけ動作を示す説明図である。
【符号の説明】
【００１９】
１  電動ドリル装置、２  電動ドリル本体、２１  ドリル、２２  取っ手、３  集塵機、３ａ  吸引口、４  集塵パイプ、４１  大径パイプ、４２  小径パイプ、４３  可撓性ホース、５  集塵蓋、５１  蓋板、５２  縁部フランジ、５３  吸引穴、５４  ドリル通過穴、６  集塵袋、７  ケース、８  固定バンド、９  肩掛け用バンド
【図１】
2005305577.tif 000003
【図２】
2005305577.tif 000004
【図３】
2005305577.tif 000005
【図４】
2005305577.tif 000006
【図５】
2005305577.tif 000007
【図６】
2005305577.tif 000008